(57)【要約】収納容器に取り付けられた蓋部材を有する携帯用飲料容器。蓋部材は、蓋壁と、及び蓋壁から垂下して突出空間を画定するスカートと、を有することができる。蓋部材には、飲料摂取開口部または飲料摂取飲み口が設けられており、これは飲み口キャップで覆うことができる。氷ガードを蓋部材に含めることができる。氷ガードは、飲料摂取飲み口のボア内に取り付けることができる、または飲料摂取飲み口のボアへの開口部の上方に配置することができる。【選択図】図１
2021517879.tif 000002
【特許請求の範囲】
【請求項１】
携帯用飲料容器において、
蓋壁及び前記蓋壁から垂下するスカートを有する蓋部材であって、前記蓋壁は上面及び前記上面とは反対側の下面を有し、該下面は下面の平面を画定するものである、該蓋部材と、
前記スカート及び前記下面によって画定される突出空間と、
前記蓋壁に形成される飲料摂取飲み口であって、前記突出空間からアクセス可能な前記飲料摂取飲み口の第１端部における第１開口部、及び前記飲み口の第２端部における流体を分注できる第２開口部を有し、ボアを有する、該飲料摂取飲み口と、
前記飲料摂取飲み口の前記第２端部へのアクセスを閉止するよう前記飲料摂取飲み口上方に配置される飲み口キャップと、
前記第１開口部上方または前記飲料摂取飲み口の前記ボア内に位置決めされる氷ガードであって、中央部の半径方向に延びる複数のプレート部分を備える、該氷ガードと、を備え、
前記プレート部分の一部は、前記蓋部材が直立位置にあるときに、前記突出空間内および前記下面の平面下方で高さ方向に突出する氷ガード突出部を画定している、携帯用飲料容器。
【請求項２】
請求項１に記載の携帯用飲料容器において、前記複数のプレート部分は、前記中央部に沿って互いに接触する少なくとも３つのプレート部分を有する、携帯用飲料容器。
【請求項３】
請求項２に記載の携帯用飲料容器において、さらに、前記蓋部材に取り付けられる収納容器であって、開放端部および閉鎖端部を有する、該収納容器を備える、携帯用飲料容器。
【請求項４】
請求項３に記載の携帯用飲料容器において、前記収納容器は、２つの壁間に隙間を有する二重壁構造の容器である、携帯用飲料容器。
【請求項５】
請求項４に記載の携帯用飲料容器において、２つの壁間の前記隙間は真空状態下にある、携帯用飲料容器。
【請求項６】
請求項５に記載の携帯用飲料容器において、前記複数のプレート部分は、プラス形状（＋）形態で配列される４つのプレート部分を有する、携帯用飲料容器。
【請求項７】
請求項１に記載の携帯用飲料容器において、前記飲み口キャップは、前記蓋壁の周縁と係合する開放端部を有する、携帯用飲料容器。
【請求項８】
請求項１に記載の携帯用飲料容器において、前記飲み口キャップは開放端部を備え、また前記飲み口キャップの前記開放端部は、前記蓋壁に位置するねじ山付きボスに取り付けられる、携帯用飲料容器。
【請求項９】
請求項１に記載の携帯飲料容器において、さらに、前記スカートによって画定される空間内で前記蓋部材に取り付けられる断熱プレートを備える、携帯飲料容器。
【請求項１０】
請求項９に記載の携帯用飲料容器において、さらに、前記飲み口キャップの内側に位置する断熱キャップを備える、携帯用飲料容器。
【請求項１１】
請求項９に記載の携帯用飲料容器において、前記飲み口キャップは、前記蓋壁、前記スカート、または前記蓋壁と前記スカートとの間の交点に位置するヒンジ部に枢動可能に取り付けられる、携帯用飲料容器。
【請求項１２】
請求項９に記載の携帯用飲料容器において、前記断熱プレートは、スナップリングによって前記スカート内に固定される、携帯用飲料容器。
【請求項１３】
携帯用飲料容器の製造方法において、
蓋壁及び前記蓋壁から垂下するスカートを有する蓋部材を形成するステップであって、前記蓋壁は上面及び前記上面とは反対側の下面を有し、該下面は下面の平面を画定するものである、ステップと、
前記スカート及び前記下面によって画定される突出空間を設けるステップと、
前記蓋壁を有する飲料摂取飲み口を設けるステップであって、前記飲料摂取飲み口は、前記突出空間からアクセス可能な前記飲料摂取飲み口の第１端部における第１開口部、及び前記飲み口の第２端部における流体を分注できる第２開口部を有し、ボアを有するものである、該飲み口を設けるステップと、
飲料摂取飲み口閉鎖位置で前記飲料摂取飲み口の前記第２端部へのアクセスを閉止するよう飲み口キャップを前記飲料摂取飲み口上方に位置決めするステップと、
氷ガードを前記蓋部材に組み込むステップであって、前記氷ガードは、前記第１開口部の上方、前記飲料摂取飲み口の前記ボア内、または前記第１開口部上方および前記飲料摂取飲み口の前記ボア内の双方に配置されるようにし、前記氷ガードは中央部の半径方向に延在する複数のプレート部分を有するものである、該ステップと、
を備え、
前記プレート部分の一部は、前記蓋部材が直立位置にあるときに前記突出空間内内および前記下面の平面下方で高さ方向に突出する氷ガード突出部を画定している、携帯用飲料容器の製造方法。
【請求項１４】
請求項１３に記載の方法において、前記複数のプレート部分は、前記中央部に沿って互いに接触する少なくとも３つのプレート部分を有する、方法。
【請求項１５】
請求項１４に記載の方法において、さらに、前記蓋部材に取り付けられる収納容器を設けるステップを備え、前記収納容器は、開放端部および閉鎖端部を有するものである、方法。
【請求項１６】
請求項１５に記載の方法において、前記収納容器は、２つの壁間に真空状態下にある隙間を有する二重壁構造の容器である、方法。
【請求項１７】
請求項１３に記載の方法において、前記飲み口キャップは、前記蓋壁の周縁と係合する開放端部を有する、方法。
【請求項１８】
請求項１３に記載の方法において、さらに、スナップリングによって前記スカートに画定される空間内で前記蓋部材に取り付けられる断熱プレートを設けるステップを備える、方法。
【請求項１９】
請求項１８に記載の方法において、さらに、前記飲み口キャップの内側に位置する断熱キャップを設けるステップを備える、方法。
【請求項２０】
請求項１９に記載の方法において、前記飲み口キャップは、前記蓋壁、前記スカート、または前記蓋壁と前記スカートとの間の交点に位置するヒンジ部に枢動可能に取り付けられる、方法。
【発明の詳細な説明】
【技術分野】
【０００１】
本発明は、容器本体と蓋とを有する容器に対する特定考察を伴う携帯用飲料容器の実施形態並びに関連の方法に関する。
【背景技術】
【０００２】
様々な形状およびサイズの多くの携帯用飲料容器がある。通常の携帯用飲料容器は、典型的には、液体または飲料の量を保持するために、容器本体または収納容器とも称することができるベースに取り付けられた蓋を有する。ベースは、単一の壁を有することができ、または二重壁若しくは断熱した構造であって、典型的には、内壁層と外壁層との間に真空を介在させて組み立て、かつ頂部開口部に沿って密封した構造にすることができ、頂部開口部は、典型的には蓋とねじ係合するためのねじ山付き端部を有する。二重壁は、一般にステンレス鋼材料から作られ、密封可能なポートをベース底部に設け、該ポートを密封する前に真空の引き込みを行うようにすることができる。
【発明の概要】
【発明が解決しようとする課題】
【０００３】
蓋は、容器ベースによって画定される内部に対して内容物の追加または分注の入れ及び出しをするために、容器ベースのねじ端部を開閉する封止体として機能することができる。他の例では、蓋は飲料摂取飲み口を有することができ、蓋はベースにねじ付けることができる。次に、別の飲み口キャップを組み込んで、飲料摂取飲み口の開口部を閉止することができる。飲み口キャップは、飲料摂取飲み口を介して容器の内容物の分注を可能にするよう、飲料摂取飲み口の開口部を開閉することができる。
【０００４】
さらにまた、飲料容器内に氷入り飲料が入っているとき、飲料摂取飲み口から氷が流れ出るのを防止するために、飲料摂取飲み口に氷流出防止部品を設ける携帯用飲料容器が知られている。氷流出防止部品が設けられている場合又はとき、これら氷流出防止部品は、劣悪な設計であること、および流体の流出の制限または障害を引き起こすおそれがある氷の絡みつきまたは集塊化の原因となるような問題があることが知られている。
【課題を解決するための手段】
【０００５】
本発明の態様による携帯用飲料容器の実施形態は、ベース、収納容器、または開放端部を有する飲料容器本体と、および前記開放端部に係合可能な蓋部材とを備え、前記蓋部材は、飲料が収納容器の内部から収納容器の外部へ流れることを可能にするための飲料摂取飲み口（drinking spout）を有する。一例では、蓋部材は、氷を含む飲料を入れた後に前記飲料容器本体を傾斜させたときに、前記飲料容器の内部から氷が流出するのを防止する形状および寸法の氷流出防止部または氷ガードを備える。一例では、氷流出防止部は、飲み口のボアを画定する内面、飲み口ボアの開口部の周縁、または飲み口ボアの開口部を画定する周縁に隣接して、飲料摂取飲み口と一体的に形成され、例えば、飲料摂取飲み口と一体成形、または接合されている。他の例では、氷流出防止部または氷ガードは、飲料摂取飲み口のボアを画定する表面、飲み口ボアの開口部周縁、または飲み口ボアの開口部を画定する周縁に隣接して、飲み口に取り外し可能に固定され、使用者が飲料を摂取するために携帯用飲料容器を傾けるときなど、飲料容器本体が傾くときに、飲料容器の内部から氷が流出するのを防止する。氷流出防止部は、飲み口にスナップ嵌めすることができる、飲み口にねじ込むことができる、飲み口に締まり嵌めすることができる、飲み口に摩擦係合できる、またはこれらの組合せとすることができる。
【０００６】
一例では、本発明の態様による氷流出防止部は、飲み口の中心軸線から半径方向に配列される３つまたはそれ以上のプレート部分を有し、前記氷流出防止部は、蓋の蓋壁の内面によって画定される表面から飲料保持空間内に突出する形状の構造を有することができる。プレート部分の突出する部分は、通常の携帯用飲料容器の直立位置において高さ方向に延びる下端縁ラインを半径方向外方に向けて中央部から傾斜する曲線状または直線状に形成することにより、前記飲料容器本体を傾斜させたときに、氷が集まって飲料摂取飲み口の流れを制限又はブロックしないように、氷は半径方向外方に導かれる。プレート部分という用語は、２つの対向する表面およびその間の厚さを有する壁がバッフルとして使用され、携帯用飲料容器が傾けて使用されるときに、氷が収納容器の内部から飲料摂取飲み口をブロックするおよび／または飛び出すのを保護または防止するプレート状構造を具体化するものと理解される。
【０００７】
本発明の携帯用飲料容器によれば、氷入り飲料を容器内に入れて傾ける場合でも、氷ガードの半径方向外方に氷が導かれ、氷が流れを妨げることなく飲料をスムーズに流出させることができる。
【０００８】
本発明のさらなる態様は、蓋壁及び前記蓋壁から垂下するスカートを有する蓋部材であって、前記蓋壁は上面及び前記上面とは反対側の下面を有し、該下面は下面の平面を画定するものである、該蓋部材と、前記スカート及び前記下面によって画定される突出空間と、前記蓋壁に形成される飲料摂取飲み口であって、前記突出空間からアクセス可能な前記飲料摂取飲み口の第１端部における第１開口部、及び前記飲料摂取飲み口の第２端部における流体を分注できる第２開口部を有し、ボアを有する、該飲料摂取飲み口と、前記飲料摂取飲み口の前記第２端部へのアクセスを閉止するよう前記飲料摂取飲み口上方に配置される飲み口キャップと、前記第１開口部上方または前記飲料摂取飲み口の前記ボア内に位置決めされる氷ガードであって、中央部の半径方向に延びる複数のプレート部分を備える、該氷ガードと、を備え、前記プレート部分の一部は、前記蓋部材が直立位置にあるときに、前記突出空間内および前記下面の平面下方で高さ方向に突出する氷ガード突出部を画定している、携帯用飲料容器である。
【０００９】
概して、携帯用飲料容器は、蓋部材と、前記蓋部材に取り付けられた収納容器とを含むことができる。氷ガードには、前記収納容器内の中の氷が、前記蓋部材を設ける飲料摂取飲み口又は飲料摂取開口部から流出または飛び出すのを防止する前記蓋部材を設けることができる。前記氷ガードは、複数のプレート部分を含むことができる。氷ガード突出部を画定する前記プレート部分の区域または部分は、氷突出空間内に突出することができる。
【００１０】
飲み口は前記飲料摂取飲み口を囲むことができる。前記飲み口キャップは、ねじ山付きボスにねじ係合することができる、または、戻り止め若しくはスナップ嵌めなどで、前記蓋部材の蓋壁若しくはスカートにスナップ嵌めすることができる。
【００１１】
前記複数のプレート部分は、前記中央部に沿って互いに接触する少なくとも３つのプレート部分を有することができる。
【００１２】
収納容器は前記蓋部材に取り付けることができ、前記収納容器は開放端部と閉鎖端部とを有することができる。前記収納容器の前記開放端部は、前記蓋部材の前記スカートに形成される雌ねじ山にねじ付けるための雄ねじ山を有することができる。
【００１３】
前記収納容器は、２つの壁の間に隙間を有する二重壁構造の容器とすることができる。２つの壁の間の前記隙間は、真空状態下にあるものとすることができる。他の例では、前記収納容器は隙間のない単一の壁構造である。前記収納容器は、ステンレス鋼材料から作成することができる。前記収納容器は、その素材ステンレス鋼を仕上げして設けることができる、または、塗料、コーティングおよび／またはしるしなどでコーティングすることができる。
【００１４】
前記複数のプレート部分は、プラス形状（＋）形態で配列される４つのプレート部分を有することができる。
【００１５】
前記飲み口キャップは、開放端部を備え、また前記飲み口キャップの前記開放端部は、前記蓋壁の周縁と係合することができる。
【００１６】
前記飲み口キャップは開放端部を備え、また前記飲み口キャップの前記開放端部は、前記蓋壁に位置するねじ山付きボスに取り付けることができる。
【００１７】
断熱プレートは、前記スカートによって画定される空間内で前記蓋部材に取り付けることができる。前記断熱プレートはスカートを有することができる。前記断熱プレートの前記スカートはフランジを有することができる。前記飲み口突出部は、前記断熱プレートの前記スカートの半径方向内側に位置付けることができる。
【００１８】
断熱キャップは、前記飲み口キャップの内側に位置付けることができる。前記断熱キャップはスカートを有することができる。前記断熱キャップの前記スカートはフランジを有することができる。ボアを有する飲み口突出部には、前記断熱キャップを設けることができる。
【００１９】
前記飲み口キャップは、前記蓋壁、前記スカート、または前記蓋壁と前記スカートとの間の交点に位置するヒンジ部に枢動可能に取り付けることができる。
【００２０】
前記断熱プレートは、スナップリングによって前記スカート内に固定することができる。
【００２１】
本発明のさらなる態様は、携帯用飲料容器の製造方法である。前記方法は、蓋壁及び前記蓋壁から垂下するスカートを有する蓋部材を形成するステップであって、前記蓋壁は上面及び前記上面とは反対側の下面を有し、該下面は下面の平面を画定するものである、ステップと、前記スカート及び前記下面によって画定される突出空間を設けるステップと、前記蓋壁を有する飲料摂取飲み口を設けるステップであって、前記飲料摂取飲み口は、前記突出空間からアクセス可能な前記飲料摂取飲み口の第１端部における第１開口部、及び前記飲料摂取飲み口の第２端部における流体を分注できる第２開口部を有し、ボアを有するものである、該飲料摂取飲み口を設けるステップと、飲料摂取飲み口閉鎖位置で前記飲料摂取飲み口の前記第２端部へのアクセスを閉止するよう飲み口キャップを前記飲料摂取飲み口上方に位置決めするステップと、氷ガードを前記蓋部材に組み込むステップであって、前記氷ガードは、前記第１開口部の上方、前記飲料摂取飲み口の前記ボア内、または前記第１開口部上方および前記飲料摂取飲み口の前記ボア内の双方に配置されるようにし、前記氷ガードは中央部の半径方向に延在する複数のプレート部分を有するものである、該ステップと、を備えるものとすることができ、前記プレート部分の一部は、前記蓋部材が直立位置にあるときに前記突出空間内内および前記下面の平面下方で高さ方向に突出する氷ガード突出部を画定している。
【００２２】
前記方法は、前記氷ガードを前記蓋部材から取り外すステップを含むことができる。
【００２３】
前記方法は、前記飲み口キャップを前記飲料摂取飲み口から離れるように枢動させるステップを含むことができる。
【００２４】
前記方法は、前記飲み口キャップを前記飲料摂取飲み口から離れるよう移動させた後、前記収納容器を直立位置から傾けるステップを含むことができる。
【００２５】
本発明の装置、システム、及び方法のこれら及び他の特徴並びに利点は、明細書、特許請求の範囲及び以下の添付図面を参照することによって、よりよく理解できるであろう。
【図面の簡単な説明】
【００２６】
【図１】収納容器および蓋部材を備える本発明の携帯用飲料容器を示す正面断面図である。
【図１Ａ】図１の蓋部材を収納容器無しで示す正面断面図である。
【図２】図１Ａの蓋部材を図示する底面斜視図である。
【図３】図２の蓋部材の拡大概略斜視図であり、収納容器を省略して示しており、作動中の氷流出防止部分または氷ガードを図示している。
【図４】隣接する２つのプレート部分の拡大概略断面図であり、氷流出防止部分の動作を図示している。
【図５】氷ガードの主要部分の拡大概略平面図であり、氷ガードの動作を図示している。
【図６】氷流出防止部分の変更例を図示する、隣接する２つのプレート部分の拡大断面図である。
【図７】氷流出防止部分の他の実施形態を図示する、隣接する２つのプレート部分の拡大断面図である。
【図８】本発明のさらなる態様による別の蓋部材を図示する底面図である。
【図９】本発明のさらに別の態様による蓋部材の別の実施形態を示す底面図である。
【発明を実施するための形態】
【００２７】
添付図面に関連して以下に記載される詳細な説明は、本発明の装置、システム、および方法の態様に従って提供される携帯用飲料容器およびその構成要素の現在の好ましい実施形態の説明として意図されており、本発明の装置、システム、および方法が構築または利用され得る唯一の形態を表すことを意図するものではない。説明は、図示の実施形態に関連する本発明の装置、システム、および方法の実施形態を構築および使用するための特徴およびステップを説明する。しかしながら、同一または同等の機能および構造は、本開示の精神および範囲内に包含されることも意図される異なる実施形態によって達成され得ることを理解されたい。本明細書の他の箇所で示されるように、同様の要素参照符号は、同様または類似の要素または特徴を示すことを意図する。
【００２８】
図１を参照すると、本発明の態様による携帯用飲料容器１００が示されている。一例では、携帯用飲料容器１００は、飲料容器本体と、収納容器またはベース１０２と、蓋部材１０４又は略称しての蓋と、を備える。一例では、収納容器１０２は、単一の壁１０２ａを有することができる、または２つの壁１０２ａ１０２ｂ、若しくは二重壁構造を有することができる。２つの壁の間にギャップを設けることができる。二重壁構造の収納容器は、内壁１０２ａと外壁１０２ｂとの間に真空を介在させて組み立てられ、収納容器の頂部開口部１１２に沿って密封され、この頂部開口部は、典型的には、蓋と係合するねじ端部を有する。二重壁は、一般にステンレス鋼材料から作られ、密封可能なポートをベース底部に設け、該ポートを密封する前に真空の引き込みを行うようにすることができる。図１は、蓋部材と収納容器がそれぞれ直立位置にある状態を示している。
【００２９】
図示のように、蓋部材１０４は、蓋壁１０６および蓋壁から垂下するスカート１０８を有する。スカート１０８は、飲料容器本体１０２の頂部または開放端部１１２で雄ねじ山とねじ係合するための雌ねじ山を有することができる。他の例では、スカート１０８は、ベース１０２の頂端部または開放端部１１２に突出して、ベース１０２の頂端部に組み込まれた雌ねじ山とねじ係合するための雄ねじ山を有することができる。蓋壁１０６は、上側の頂部における、第１のまたは露出面１１４と、下側の第２の下面または内面１１６と、を備え得る。
【００３０】
一例では、蓋部材１０４は飲料摂取飲み口（drinking spout）１２０を備え、この飲料摂取飲み口１２０は、飲料が飲料容器本体１０２の内側の、保持空間または内部Ｓから、飲料摂取飲み口１２０の内面１２４によって画定される通路またはボア１２６を介して外部に流れることを可能にする。一例では、飲料摂取飲み口１２０は、蓋壁１０６の上面または露出面１１４の上方に、高さ方向に延びる管状本体１２８を有することができ、本体１２８はほぼ円形とすることができる。特別な例では、飲料摂取飲み口１２０は、蓋壁１０６に形成される第１開放端部１３０を画定する周縁と、第１開放端部から離れた第２開放端部１３２を画定する周縁とを有する。飲み口の長さは、第１開放端部１３０と第２開放端部１３２との間で画定される。一例では、第１開放端部１３０を画定する周縁が第２開放端部１３２を画定する周縁よりも大きく、これは飲み口が第１開放端部１３０から飲み口１２０の飲料摂取端部として見なすことができる第２開放端部１３２まで延在するにつれて内向きのテーパーを付けた飲み口本体を形成する。
【００３１】
蓋部材１０４には氷流出防止部分１４０または氷ガードが設けられる。氷ガードまたは氷流出防止部分１４０は、携帯用飲料容器１００の内部から内容物を分注するために人が使用する場合のように、氷を含む飲料がその中に置かれた後に飲料容器本体またはベースが傾けられるときに、氷Ｅ（図３〜図５を参照）が本体１０２の内部Ｓから流出するのを防止するように構成される。
【００３２】
一例では、氷流出防止部分または氷ガード１４０は、飲み口１２０の通路またはボア１２６とインラインに配置され、ボア１２６の中心軸線Ｌに対して半径方向に延びる３つまたはそれ以上のプレート部分１４４を備える。氷ガード１４０には３つ未満または８つより多いプレート部分１４４を利用することができるが、プレート部分１４４の数が少なすぎると、比較的大きな塊の氷が飲料通路またはボア１２６を通過することができ、または、大きな氷をプレート部分間に付着または捕捉させるための隙間が大きすぎて、飲料摂取飲み口１２０を通る流量に悪影響を及ぼす。また、８つを超えるようなプレート部分の数が多すぎると、ボア１２６の自由空間を過剰に占有することによって飲料摂取飲み口１２０を通る流れに悪影響を及ぼす可能性があり、これも流体の流れを制限する可能性がある。
【００３３】
一例では、本発明の態様による氷ガード１４０は、蓋部材１０４および飲み口１２０と共に成形されるように、飲料摂取飲み口１２０と一体的に形成することができる。別の実施形態では、氷ガード１４０は別個に形成され、飲料摂取飲み口のボアにスナップ嵌めすることができる。例えば、氷ガードは、飲み口のボアを画定する内面、飲み口ボアの開口部までの周縁、または飲み口ボアへの開口部を画定する周縁に隣接して成形または溶着することができる。大まかに言えば、氷ガードは、ボアの第１開口部上方、飲料摂取飲み口ボア内、または第１開口部上方および飲料摂取飲み口ボア内の双方に位置させることができる。ボア１２６が第１開放端部１３０から第２開放端部１３２までテーパーを付けているので、氷ガード１４０はボア１２６に対応する外側輪郭を有して、サイズ同士の適合、締まり嵌め、またはボア内部のスナップ嵌め構成を可能にし、また随意的に、氷ガード部分を飲み口により一層恒久的に固定するためのタブまたは戻り止めを有することができる。この防止態様に従って、蓋部材１０４を収納容器１０２に固定するとき、プレート部分１４４の少なくとも一部が中心軸線Ｌに対して軸線方向に延びてベース１０２の内部空間Ｓに突入しなければならない。別の言い方をすれば、氷ガード１４０の下方外部輪郭または下端縁ライン１４８の高さ方向における少なくとも一部は、蓋部材１０４のボア１２６から、蓋壁１０６の下面または内面１１６から離れるよう、飲料摂取飲み口の伸展方向とは反対側に突出しなければならない。
【００３４】
一実施形態によると、随意的な断熱プレート１５０が蓋部材１０４に設けられる。設ける場合、断熱プレート１５０は、スカート区域１０８と、蓋壁１０６、例えば蓋壁１０６の下面１１６とによって画定される空間内で蓋部材１０４に取り付けることができる。断熱プレート１５０は、断熱プレート１５０と蓋壁１０６の下面１１６との間における空隙またはポケットを隔絶して、蓋壁を通る経路に沿った断熱性を改善することができる。一例では、断熱プレート１５０にはスカート１５１を設けることができ、このスカート１５１は、断熱壁１５３から延び、蓋壁１０６の下面１１６に接触するようスカート１５１の端部に位置するフランジを有する。スナップリング１５２を使用して蓋部材１０４のスカート１０８に固定し、断熱プレート１５０を蓋部材１０４に保持することができる。スナップリング１５２は、締り嵌めにおけるような、スカート１０８の内面に対してスナップ嵌合するための外径と、断熱プレート１５０のスカート１５１に嵌合するための内径とを有することができる。組み込まれたとき、断熱プレート１５０は、蓋部材１０４の一部または構成要素である。
【００３５】
断熱プレート１５０には飲み口突出部１５６が設けられている。飲み口突出部１５６は、蓋部材１０４と断熱プレート１５０との間に連続流路を形成するように、蓋部材１０４の飲料摂取飲み口１２０の導管または伸展部と見なすことができる。飲み口突出部１５６は本体を有することができ、この本体は、蓋壁１０６の下面１１６に押し付けるために、本体の遠隔端部にボアおよびフランジを画定する。一実施形態において、飲み口突出部１５６は、飲料摂取飲み口１２０の内面１２４およびボア１２６と整列するボア１２６を画定する内面１２４を有する。飲み口突出部１５６のボア１２６は、飲料摂取飲み口１２０のボア１２６と一致するテーパーを有することができる。他の例では、飲み口突出部１５６のボア１２６は、飲料摂取飲み口のボアとは異なるテーパー、無テーパー、および／または異なるボア直径を有することができる。断熱プレート１５０が組み込まれるとき、飲料摂取飲み口１２０は、断熱壁１５３に画定される第１開放端部１３０と、および飲料摂取飲み口の本体１２８の最上部分に画定される第２開放端１３２とを有する本体１２８を有すると見なすことができる。飲料摂取飲み口１２０のボア１２６は、断熱プレートが利用される場合、蓋部材１０４および断熱プレート１５０双方の内面１２４によって画定される。
【００３６】
図１Ａは、図１の蓋部材１０４を、飲料容器本体またはベース１０２なしで示している。蓋部材１０４は、飲み口１２０の第２開放端部１３２を閉止するための飲み口キャップ１６６とともに示されている。一例では、飲み口キャップ１６６は、飲料摂取飲み口１２０を収容するための内部を画定する壁を有する本体１６８を備える。飲み口キャップ１６６は、飲料摂取飲み口１２０のベース１７０、または飲み口の第２開放端部１３２に対応するねじ山にねじ込まれ、飲み口１２０の第２開放端部を封止することができる。図示の例では、ねじ山付きボス１７２が、飲み口キャップ１６６とねじ係合するよう蓋壁１０６に設けられている。言い換えれば、ねじ山付きボス１７２は、飲料摂取飲み口の開口部を閉じるために、蓋壁及びねじ山付きボスにねじ付けられる飲み口キャップの上方に起立することができる。図１Ａは、飲料摂取飲み口閉鎖位置で飲料摂取飲み口が覆われて閉止され得ることを示す。
【００３７】
さらに他の例では、ねじ山付きボス１７２は飲み口キャップ１６６を保持するリングであり、この保持は、飲み口キャップ１６６がリング１７２に対して回転可能となるように行う。ねじ山付きボス１７２の代替案として、リングは、蓋壁１０６の端部で突出部１７４に向かって延び、ピボットピン１７６を介して突出部１７４に枢動可能に取り付けられる脚部または伸展部を有することができる。ピボットピン１７６を受け入れるための突出部１７４は、飲み口キャップとの枢着を可能にするヒンジ部分と称することができる。この構成は、飲み口キャップがリング１７２に対して回転して飲み口１２０のねじ山と係合することを可能にすることによって、飲み口キャップ１６６が飲料摂取飲み口１２０とねじ係合することを可能にする。飲み口１２０から流体を分注するために、先ず飲み口キャップ１６６を飲み口１２０からねじ戻しし、次いで、飲み口キャップ１６６および開示したねじ山付きボスの代替案としてのリング組立体１７２は、ピボットピン１７６の周りに枢動して飲み口の第２開放端部１３２から離れるように枢動して、第２端部へのアクセスを可能にする、または内容物が第２開放端部から分注されるようにする。
【００３８】
一例では、断熱キャップ１８０は飲み口キャップ１６６の内側に配置され、飲み口キャップの断熱を行う。断熱キャップ１８０はスカート区域を有し、このスカート区域における端部のフランジ１８２で飲み口キャップ１６６のキャップ壁１８６の内面に再び当接するよう飲料摂取飲み口１２０のボア１２６内に嵌合する。断熱キャップ１８０は、飲み口キャップ１６６と断熱キャップ１８０の本体との間における断熱空気空間１８４を断熱するための本体を有する。この構成は、キャップ壁１８６経由の熱損失を低減する。断熱キャップ１８０はスナップリングまたはガスケットリング１９０を介して飲み口キャップ１６６に固定することができ、このガスケットリング１９０は、断熱キャップ１８０のスカートと飲み口キャップ１６６のスカートとの間における環状空間内に締まり嵌めで嵌合することができる。
【００３９】
代替的な実施形態では、飲み口キャップ１６６は、蓋壁１０６の周縁にスナップ嵌めするような寸法および形状の開口部を有する。蓋壁１０６の周縁にスナップ嵌めする代替的な飲み口キャップ１６６は、蓋壁１０６の周縁の半径方向外側に位置する頂部蓋壁１０６上のヒンジ点にヒンジ連結するためのヒンジ点または突出部を有することができる。すなわち、変更した飲み口キャップは、戻り止めおよび／またはスナップ嵌めなどによって、蓋壁と係合し、また蓋壁の周縁を取り囲むことができ、変更した飲み口キャップと蓋壁との間の枢動を可能にする枢動手段を備えることができる。枢動手段は変更した飲み口キャップと蓋壁との間の開閉を妨げないように、蓋部材のスカートに取り付けられるように、蓋壁の周縁とは別個に、または離れて構築され得る。枢動手段は、ピボットピンを介して結合される、変更した蓋飲み口キャップおよび蓋部材のスカート区域におけるタブと、突出部と、および／または対応する伸展部とを備えることができる。
【００４０】
変更した飲み口キャップの内部にガスケットまたは隆起面を設けて、飲料摂取飲み口１２０の上方開口１３２に対して封止することができ、また変更した飲み口キャップは飲み口上方を閉止し、かつ蓋壁に係合することができる。
【００４１】
さらに他の例では、飲料摂取飲み口１２０は蓋壁１０６の幾何学的中心に、図１Ａに示すように蓋壁の中心から外れた位置に、またはスカート１０８と蓋壁１０６との交点近くの端縁に近接して配置することができる。
【００４２】
さらに他の例では、細長いまたは隆起した本体を有する飲料摂取飲み口１２０ではなく、蓋壁１０６に、短いスタブまたは単純な開口部と同様の貫通開口部または飲料摂取開口部を設けることができ、この場合、細長い飲み口本体を蓋壁の外面から隆起させないようにすることができる。変更したキャップは、飲料摂取開口部を閉止するために組み込むことができ、また蓋部材のスカート区域１０８のように蓋壁にヒンジ連結することができる。
【００４３】
リング区域２０２及び２つの離間した伸展部２０４を有するハンドル２００は、リング区域２０２から伸展することができる。各伸展部２０４にはピボット孔を設けることができ、ピボットピン１７６を介して突出部１７４に枢動可能に取り付けることができる。ハンドルは、離間する２つの伸展部の整列した孔を通過するピボットピン１７６を中心として枢動することができる。
【００４４】
参考目的で、蓋部材１０４のスカート１０８と断熱壁１５３の下面１９２によって画定される空間は、特に氷ガードの下端縁ライン１４８に対して、氷ガード１４０のプレート部分１４４が突出するための突出空間１９６を画定する。下面１９２は、下面の平面を画定することができる。まとめると、飲み口１２０から及び組み込まれるとした場合では断熱プレート１５０の下面１９２から、又は断熱プレート１５０が組み込まれていない場合では蓋壁１０６の下面１１６から、軸線方向に離れるように突出するプレート部分１４４の区域または部品は、氷ガード突出部１９８と総称することができる。蓋壁の下面１１６は下面の平面を画定することができ、また断熱プレートの下面は、下面の平面を画定することができる。好ましくは、本発明の態様による本明細書に記載される氷ガード１４０の全ての実施形態は、蓋壁１０６の下面１１６および／または断熱プレート１５０の下面１９２から軸線方向に離れて突出空間１９６内に突出する氷ガード突出部１９８を有することができる。蓋部材が断熱プレート１５０を組み込んでいるか否かにかかわらず、突出空間１９６はスカート１０８と蓋壁１０６の下面１１６によって少なくとも部分的に画定される開放空間として理解することができ、またこの場合、氷ガード突出部１９８は飲み口へのボアを画定する任意の表面から突出し、また外部に露出することができる。
【００４５】
一例において、図１Ａおよび２を参照すると、氷流出防止部または氷ガード１４０は４つのプレート部分１４４を備えている。氷ガード１４０の底面または頂面における平面図から、４つのプレート部分１４４は頂面または底面における平面図に沿って見たときにプラス「＋」記号に似たものとすることができ、４つのプレート部分１４４はプラス「＋」構成の中心にある中央部１６０から延びている。中央部１６０は、飲み口１２０の中心軸線Ｌと整列することができる。氷流出防止部１４０は、蓋部材１０４がベースまたは飲料容器１０２に取り付けられたときに、突出空間１９６内に飲料保持空間Ｓに向かって突出する形状を有する。すなわち、氷ガード１４０は断熱壁が組み込まれている場合には断熱壁の内側、下側、または下面１９２を越えて、または断熱プレートが組み込まれていない場合には蓋壁の下面から離れて中心軸線Ｌに対して軸線方向に延びる氷ガード突出部１９８を有する。氷ガード突出部１９８は、飲み口１２０とは反対方向に突出すると考えられる。
【００４６】
各プレート部分１４４の下端縁ライン１４８は、断熱プレートが組み込まれている場合には断熱プレート１５０のボア１２６によって画定される空間の外部に配置することができ、断熱プレートが組み込まれていない場合には、飲料摂取飲み口１２０のボア１２６によって画定される空間の外部に配置することができる。上記とは異なり、また図１Ａに示す直立構成の場合、断熱プレート１５０の下面１９２が平面を画定し、蓋部材１０４の蓋壁１０６の下面１１６が平面を画定する場合、プレート部分１４４の区域およびプレート部分の下端縁ライン１４８は、２つの平面の高度方向下方に延びる。２つの平面の下方に延びるプレート部分１４４の部品または区域は、氷ガード突出部１９８と称することができる。蓋部材１０４が断熱プレート１５０を組み込まない場合、蓋壁１０６の下面１１６によって画定される平面の下方に延在するプレート部分１４４の部品または区域は、氷ガード突出部１９８と称することができる。
【００４７】
一例では、プレート部分の下端縁ライン１４８は、中央部１６０から半径方向外側に傾斜した曲線状または直線状に形成することができる。中央部１６０は４つのプレート部分１４４の交点を表すコアまたはラインと見なすことができる。収納容器または飲料容器１０２（図１および図３）と共に使用され、また飲料容器が傾けられるとき、飲料容器１０２の保持空間Ｓ（図１）内の氷Ｅは、プレート部分によって、飲料摂取飲み口１２０によって画定される中心軸線Ｌから半径方向外方に離れるように導かれ得る。蓋部材１０４の突出空間１９６を示す図３に示すように、プレート部分の下端縁ライン１４８の輪郭端部は、曲線形状または直線形状を有することができ、氷Ｅを中心軸線Ｌから離れて矢印Ｙ方向に転向させる。
【００４８】
図３に示すように、氷ガード突出部１９８が物理的に存在することにより、氷Ｅが氷ガード突出部１９８と同じ空間を占有することが制限または限定される。したがって、氷Ｅを中央部１６０の側方に押しやることができ、それによって、氷Ｅを、断熱プレートが組み込まれている場合には、断熱プレート１５０のボア１２６を画定する開口部２０６から変位させることができ、また断熱プレート１５０が組み込まれていない場合には、飲料摂取飲み口１２０の第１開放端部１３０における開口部から変位させることができる。この構成により、氷Ｅが開口部２０６の一部を占有したり、断熱プレートの有効開口サイズを小さくしたりして、氷Ｅが流れを妨げることなく、飲料容器本体１０２から流体を分注排出することができる。
【００４９】
次に図４を参照すると、ほぼ同一平面に沿って整列される氷ガード１４０のプレート部分１４４の２つを通る断面図が示されている。図示の縦の破線は、氷ガード１４０の中央部１６０を表している。水平破線２１０は氷ガード１４０が蓋部材１０４のボアで位置決めされる場合に、断熱プレート１５０の下面１９２、または蓋部材１０４の蓋壁１０６の下面１１６によって画定される平面を表す。水平破線２１０の下に示される区域または部品は、断熱プレート１５０のボア１２６、または飲み口１２０のボア１２６の内側に位置決めされるものと理解される。水平破線２１０の上方に示されている区域または部分は、本明細書の他の箇所で定義されているように氷ガード突出部１９８として理解される。なお、図４は、上下逆の状態を示している。図１〜図３に示す氷プレート１４４は、図４に示す氷プレートと同じ形状を有することができる。
【００５０】
一例では、本発明の氷ガード実施形態の各プレート部分１４４は、底端縁２１２、側端縁２１４、傾斜端縁２１６、及び頂端縁２１８を備える。傾斜端縁２１６および頂端縁２１８は、氷ガード突出部１９８の一部を形成することができる。氷Ｅが傾斜端縁２１６および／または頂端縁２１８に接触すると、氷Ｅは、中央部１６０から半径方向に離れるように押しやられる、または中央部１６０から離れるように頂端縁２１８から一方の側または他方の側に落下し得る。したがって、傾斜端縁２１６と、頂端縁２１８とを備える氷ガード突出部１９８を有する本実施形態の氷ガードは、氷Ｅを開口部の中央部１６０からボア１２８に向けて遠ざけ、開示の氷ガード突出部１９８を有さない氷ガードと比較して、比較的自由な開放流路を維持するように構成される。飲料容器本体またはベース１０２は明確にするために図３および図４から省略されているが、図１を参照することによって理解することができる。
【００５１】
次に、図４に加えて図５を参照すると、氷ガード１４０の各プレート部分１４４の上縁部２１８および傾斜縁部２１６を見る、ボア１２６を見下ろしての底面図が示されている。また、この図では、中央部１６０、４つのプレート部分１４４、ボア１２６、及びボア１２６への開口部２０６も示されている。飲料容器本体１０２は図５では省略されているが、図１を見れば理解できる。
【００５２】
図５の図では、上述した及び他の場所で説明するように、氷ガード突出部１９８が紙面から外側に突出する。飲料容器本体１０２（図１参照）が氷を含む飲料を中に入れた後に傾けられると、氷Ｅはプレート部分１４４に接触し、プレート部分間の隙間Ｇ及び氷Ｅが中央部１６０近傍で露出し、したがって、飲料用の空間または流路が、分注のために隙間Ｇ経由で飲料摂取飲み口１２０に向かって流出することを可能にする。
【００５３】
図５に示すように、特定の幾何学的形状を有する氷片Eが氷ガード１４０のプレート部分１４４に接触すると、プレート部分の下端縁ライン１４８の曲線形状または直線形状の傾斜端縁のために、氷は、氷ガードから半径方向に離れるように転向する、または十分小さければプレート部分１４４間の空間を通って流れる、または隣接するプレート部分１４４間にスタックする、のいずれかを行うことができる。しかし、氷がスタックするときでも、本実施形態の氷ガード突出部１９８を組み込むことにより、流体が流れるための十分な流体流隙間Ｇが依然として存在する。他の例では、プレート部分の数を例えば４〜５またはそれ以上に増加させることによって、下端縁ライン１４８の追加の曲線または直線形状の傾斜端縁を有するより多くのプレート部分を設けて、氷Ｅを氷ガード１４０から離れるように転向させることができる。  
【００５４】
ここで図６を参照して説明すると、代替実施形態の同じ平面にほぼ沿って整列される氷ガード１４０のプレート部分１４４の２つを通る断面図が示されている。図示の縦の破線は、氷ガード１４０の中央部１６０を表している。図６の下端縁２１０ａは図４の水平破線２１０に対応し、氷ガード１４０が蓋部材１０４のボアで位置決めされるとき、断熱プレート１５０の下面１９２または蓋部材１０４の蓋壁１０６の下面１１６によって画定される平面を表す。言い換えれば、氷ガードを固定するために、または氷ガードを蓋部材１０４に組み付けるために、断熱プレート１５０のボア１２６または飲み口１２０のボアの内側に着座する氷ガード１４０の部分は、図４に示される詳細とは異なり、図６には示されていない。図６における氷ガード１４０の蓋部材１０４のボアに突出する部分のみ、すなわち氷ガード突出部１９８のみが示されており、この異なる形状以外は図４に示されているものと同様であり得る。
【００５５】
図６は、代替案における氷ガード１４０の実施形態の氷ガード突出部１９８を示す。氷ガードのプレート部分１４４の下端縁ライン１４８は、中央部１６０から半径方向外側に傾斜した曲線状（弓形）形状に形成することができる。一例として、各プレート部分１４４の下端縁ライン１４８は単一の曲率半径を有する湾曲下端縁２２０である。２つの隣接するプレート部分１４４は、連続した半円に似た２つの湾曲下端縁２２０を有することができる。他の例では、湾曲下端縁２２０は、複雑な曲線または複合曲線を有することができる。 
【００５６】
氷Ｅがいずれかのプレート部分１４４の湾曲下端縁２２０に接触すると、氷は、中央部１６０から半径方向に離れるように押しやられる、または氷ガードの湾曲下端縁２２０との接触から一方の側若しくは他方の側に落下して、中央部１６０から離れるように指向させられることになり得る。このように、湾曲下端縁２２０を含む氷ガード突出部１９８を備える本実施形態の氷ガードは、開示した氷ガード突出部１９８を有さない氷ガードと比較して、比較的自由な開放流路を維持するために、開口部の中央部１６０から離れてボア１２８に氷を指向させるように構成することができる。飲料容器本体またはベース１０２は、分かり易くするために図６から省略されているが、図１を参照することによって理解することができる。
【００５７】
ここで図７を参照して説明すると、代替実施形態の同じ平面にほぼ沿って整列される氷ガード１４０のプレート部分１４４の２つを通る断面図が示されている。図示の縦の破線は、本実施形態の氷ガード１４０の中央部１６０を表している。図７の下端縁２１０ａは図４の水平破線２１０に対応し、氷ガード１４０が蓋部材１０４のボアで位置決めされるとき、断熱プレート１５０の下面１９２または蓋部材１０４の蓋壁１０６の下面１１６によって画定される平面を表す。言い換えれば、氷ガードを固定するために、または氷ガードを蓋部材１０４に組み付けるために、断熱プレート１５０または飲料摂取飲み口１２０のボア１２６の内側に着座する氷ガード１４０の部分は、図４に示す向きとは異なり、図７には示されていない。図７における氷ガード１４０の、蓋部材１０４のボア内に突出する部分は、図４に示すものと同様であり得る。
【００５８】
図７は、代替案における氷ガード１４０の実施形態の氷ガード突出部１９８を示す。氷ガードのプレート部分１４４の下端縁ライン１４８は、中央部１６０から半径方向外側に傾斜した直線形状に形成されている。単一のプレート部分の中央部１６０、傾斜端縁２２４、および水平ライン２１０ａを見ると、プレート部分１４４は略三角形形状となっている。図７の２つのプレート部分１４４は、組み合わせられて、丸い頂部を有する円錐形状頂部またはピラミッド形状に類似する。
【００５９】
蓋部材の氷ガードとして使用される場合、本実施形態における任意なプレート部分１４４の傾斜端縁２２４に接触する氷Ｅは、中央部１６０から半径方向に離れるように押しやられる、または傾斜端縁２２４との接触から一方の側または他方の側に落下し、中央部１６０から離れるように指向させられる。このように、傾斜端縁２２４を備える氷ガード突出部１９８を有する本実施形態の氷ガード１４０は、開示した氷ガード突出部１９８を有さない氷ガードと比較して、比較的自由な開放流路を維持するために、開口部の中央部１６０から離れてボア１２８に氷を指向させるように構成される。 飲料容器本体またはベース１０２は、分かり易くするために図７から省略されているが、図１を参照することによって理解することができる。
【００６０】
ここで図８を参照すると、ボア１２６内に位置する氷ガード１４０を有し、スカート１０８および蓋壁１０６または断熱壁１５３によって画定される突出空間１９６内に突出する氷ガード突出部１９８を有する蓋部材１０４が示されている。本実施形態では、氷ガード１４０は、図４、図６および図７に示されるような、本明細書の他の箇所で説明される下端縁ラインのいずれかに類似する３つのプレート部分１４４および下端縁ライン１４８を有することができる。蓋部材１０４は、図１および図１Ａにつき説明した蓋部材と同様のものとすることができる。
【００６１】
ここで図９を参照すると、ボア１２６内に位置する氷ガード１４０を有し、スカート１０８および蓋壁１０６または断熱壁１５３によって画定される突出空間１９６内に突出する氷ガード突出部１９８を有する蓋部材１０４が、図８と同様に示されている。本実施形態では、氷ガード１４０は、図４、図６、および図７に示されているような、本明細書の他の箇所で説明される下縁線のいずれかに類似する６つのプレート部分１４４および下縁線１４８を有することができる。蓋部材１０４は、図１および図１Ａにつき説明した蓋部材と同様のものとすることができる。
【００６２】
本発明の態様は、上述したように、飲料容器本体または収納容器１０２と蓋部材１０４とを備える携帯用飲料容器を対象とするものとして理解され、前記蓋部材１０４は、飲料が容器本体の内側から飲料容器本体の外側に流れることを可能にするための飲料摂取飲み口１２０を有する。一例では、飲料摂取飲み口１２０は、氷を含む飲料がその中に置かれた後に前記飲料容器本体１０２が傾斜したときに氷Ｅが流出するのを防止するような大きさおよび形状にすることができ、および／または氷Ｅを蓋部材の内側の開口部から離れるように向けて流動障害を最小化または防止するような大きさおよび形状にすることができる、氷流出防止部または氷ガード１４０を備え得る。
【００６３】
一例では、携帯用飲料容器１００は、氷流出防止部または氷ガード１４０が飲み口の中心軸線Ｌまたは氷ガードの中央部１６０から半径方向に延びるように配置される３つ以上のプレート部分１４４を備えるように構成される。氷流出防止部１４０は、蓋部材のボア１２６から蓋部材の突出空間１９６内に突出する氷ガード突出部１９８または氷ガードの一部を有することができ、この突出空間は、少なくとも部分的にはスカート部１０８と、蓋壁または断熱壁であり得る蓋部材の下面と、によって画定される。また、蓋部材が容器本体に取り付けられたときに、ボアから出て飲み口から離れる氷ガード突出部１９８が、容器本体１０２の飲料保持空間Ｓ内に突入すると言うこともできる。
【００６４】
一例では、プレート部分１４４の下端縁ライン１４８を前記中央部１６０から半径方向外方に傾斜した曲線状または直線状に形成することにより、それにより、前記飲料容器本体１０２が傾斜したときに氷Ｅが半径方向外方に導かれ、それによって氷Ｅが氷上流出防止部４に捕捉されることなく、氷を含む飲料が容器内に投入されても飲料が円滑に流出することを可能にする。また、氷流出防止部品または氷ガード１４０は、飲料の流出を空気の流入から分離し、飲料の流出をより円滑にすることができる。
【００６５】
さらに他の例では、図６および図７に示されるようなプレート部分１４４は、ボアまたは蓋部材のボアの周縁で、蓋部材に成形、結合、または溶着することができ、これによりプレート部分のいかなる部分も蓋部材のボアの中に突出しない。言い換えれば、プレート部分１４４は、分注開口部または飲み口のボアを画定する周縁または周縁に隣接する表面に取り付けることができ、氷ガードの一部または実質的にいかなる部分もボア内に突出しない。その代わりに、プレート部分は、ボアへの開口部を画定する周縁などのボアへの開口部に取り付けられ、氷ガード突出部１９８は、飲み口の突出方向とは反対方向にボアから離れて突出する。
【００６６】
異なる氷ガードを含む、携帯用飲料容器およびその構成要素の製造方法および使用方法は、本発明の範囲内である。
【００６７】
携帯用飲料容器およびその構成要素の限定された実施形態を本明細書で具体的に説明および図示したが、多くの変更および改変は当業者には明らかであろう。例えば、種々の収納容器はプラスチックから製造することができ、収納容器の大きさは変えることができ、蓋部材および収納容器は色および／または装飾等を備えることができる。さらに、１つの蓋部材および氷ガードの実施形態ために特別に詳述した特徴は、機能が両立可能である場合には、別の蓋部材および氷ガードの実施形態に含めるよう採用され得ることは理解され、また考慮される。例えば、１つの図を参照して具体的に説明される変更または代替実施形態を、他の図に示す別の実施形態で使用または適用することができる。したがって、開示された装置、システム、および方法の原理に従って構成される携帯用飲料容器およびそれらの構成要素は、本明細書に具体的に記載されるもの以外に具現化できることを理解されたい。本開示はまた、以下の特許請求の範囲において定義される。
【図１】
2021517879.tif 000003
【図１Ａ】
2021517879.tif 000004
【図２】
2021517879.tif 000005
【図３】
2021517879.tif 000006
【図４】
2021517879.tif 000007
【図５】
2021517879.tif 000008
【図６】
2021517879.tif 000009
【図７】
2021517879.tif 000010
【図８】
2021517879.tif 000011
【図９】
2021517879.tif 000012
【国際調査報告】
2021517879.tif 000013